(57)【要約】【課題】トナー画像に光沢を与えるために複数の加熱手段を具備する画像形成装置において、定着回転体表面の記録材端部と対応する位置での傷の発生を防止すること。【解決手段】画像形成部と、前記画像形成部で形成されたトナー画像を記録材に転写する転写部と、前記転写部から搬送されてくる記録材を加熱するための第一加熱手段及び第二加熱手段と、を有する画像形成装置において、前記第一加熱手段において前記記録材を搬送する第一加熱回転体対の軸線方向を、前記転写部において前記記録材を搬送する転写搬送回転体対の軸線方向に対して所定角度傾斜するように配置し、前記第二加熱手段において前記記録材を搬送する第二加熱回転体対の軸線方向を、前記転写搬送回転体対の軸線方向に対して前記所定角度で前記第一加熱回転体対と逆方向に傾斜するように配置することを特徴とする。【選択図】図３
2011022200.tif 000002
【特許請求の範囲】
【請求項１】
画像形成部と、前記画像形成部で形成されたトナー画像を記録材に転写する転写部と、前記転写部から搬送されてくる記録材を加熱するための第一加熱手段及び第二加熱手段と、を有する画像形成装置において、
前記第一加熱手段において前記記録材を搬送する第一加熱回転体対の軸線方向を、前記転写部において前記記録材を搬送する転写搬送回転体対の軸線方向に対して所定角度傾斜するように配置し、
前記第二加熱手段において前記記録材を搬送する第二加熱回転体対の軸線方向を、前記転写搬送回転体対の軸線方向に対して前記所定角度で前記第一加熱回転体対と逆方向に傾斜するように配置することを特徴とする画像形成装置。
【請求項２】
前記第一加熱手段を通過した前記記録材を前記第二加熱手段に導く主搬送路と、
前記第一加熱手段を通過した前記記録材を前記第二加熱手段を迂回させるように搬送する迂回搬送路と、
前記主搬送路と前記迂回搬送路との分岐点において前記記録材をいずれの搬送路へ導くかを選択する搬送路切換手段と、
前記搬送路切換手段の姿勢に応じて、前記第一加熱回転体対の傾斜角度を変更する傾斜量変更手段と、
を有することを特徴とする請求項１に記載の画像形成装置。
【発明の詳細な説明】
【技術分野】
【０００１】
本発明は、複合機、複写機、プリンタ、ファックス等、画像形成部にて形成した画像を記録材上に定着装置を用いて定着を行うことで画像を形成する電子写真方式の画像形成装置に関する。
【背景技術】
【０００２】
例えば、電子写真プロセス・静電記録プロセス等の画像形成装置における定着装置としては、熱ローラ方式やフィルム加熱方式やベルト加熱方式のものが知られており、実用されている。
【０００３】
また、定着後のトナー画像に光沢を与えるため、複数個の加熱手段を有する画像定着装置がある（特許文献１参照）。これは、互いに圧接される加熱ローラと圧接ローラとを１対として構成する加熱ローラ群を２組備え、トナー画像が転写された記録紙を第１段と第２段の圧接部を通過させる。このように２組の加熱器を用いることで、定着後のトナー画像に光沢を与える。
【０００４】
上記定着装置において、封筒や厚紙等の記録材が真っ直ぐな状態で多数枚通紙されると、記録材と接触する定着ローラの表面の紙端に対応する位置に傷が発生する場合がある。
【０００５】
これは、記録材と接触する部材の同一箇所に記録材の側端が摺擦を繰り返し、その位置で記録材と接触する定着ローラに傷を付ける。そして、定着ローラの表面に削れや摺擦跡などのダメージを与える。
【０００６】
この傷が発生した状態で傷の位置が印字領域内であるような幅の広い記録材を通紙すると、定着時に記録材と接触する部材表面にオフセットした微量のトナーや紙粉が傷の部分に蓄積され、ある一定量以上蓄積すると記録材表面に付着し画像を汚す原因となる。
【０００７】
また、記録材と接触する部材表面上に蓄積されたトナーや紙粉は、記録材が定着装置内にないときに加圧ローラ等の部材へ転移する場合もある。この転移したトナーや紙粉は加圧ローラの傷の部分に蓄積され、ある一定量以上蓄積すると記録材裏面に再転移し、記録材裏面の汚れを招く。
【０００８】
このような問題を解決する手法として、転写手段と定着手段との間に転写手段を出た記録材を斜めに定着ニップ部に搬送導入するものがある（特許文献２参照）。しかし、上記手法は転写部と定着部との間の距離が記録材の最大長さよりも大きくなくてはならない制限があった。
【０００９】
また、記録材をセットする時点で斜めにセットする方法も考えられるが、装置全体が大きくなること、画像を斜めにする必要があり、例えば現像部や潜像対のクリーニング部において多くの不具合が発生することが予測される。
【００１０】
また、記録材搬送方向に対して定着装置自体を斜めに配置する方法が開示されている（特許文献３参照）。
【先行技術文献】
【特許文献】
【００１１】
【特許文献１】特開平０４−２４５２７５号公報
【特許文献２】特開２００４−３３１３１１号公報
【特許文献３】特開平９−１１４２８５号公報
【発明の概要】
【発明が解決しようとする課題】
【００１２】
しかしながら、特許文献３の方法においても、記録材排出方向や位置が転写部のそれに対して変化する。このため、両面搬送時の記録材位置ズレや、記録材の排出位置などの問題がある。またこれらを補正する機能は装置として実装することが非常に困難であった。
【００１３】
本発明の目的は、トナー画像に光沢を与えるために複数の定着手段を具備する画像形成装置において、定着回転体表面の記録材端部と対応する位置での傷の発生を防止することである。
【課題を解決するための手段】
【００１４】
上記目的を達成するための本発明の代表的な構成は、
画像形成部と、前記画像形成部で形成されたトナー画像を記録材に転写する転写部と、前記転写部から搬送されてくる記録材を加熱するための第一加熱手段及び第二加熱手段と、を有する画像形成装置において、
前記第一加熱手段において前記記録材を搬送する第一加熱回転体対の軸線方向を、前記転写部において前記記録材を搬送する転写搬送回転体対の軸線方向に対して所定角度傾斜するように配置し、
前記第二加熱手段において前記記録材を搬送する第二加熱回転体対の軸線方向を、前記転写搬送回転体対の軸線方向に対して前記所定角度で前記第一加熱回転体対と逆方向に傾斜するように配置することを特徴とする。
【発明の効果】
【００１５】
上記構成により、トナー画像に光沢を与えるために複数の定着手段を具備する画像形成装置において、定着回転体表面の記録材端部と対応する位置での傷の発生を防止することができる。
【図面の簡単な説明】
【００１６】
【図１】画像形成装置の全体構成を示す断面説明図。
【図２】画像形成装置に装備される定着装置の構成を示す断面説明図。
【図３】画像定着装置の上面図。
【図４】第２実施形態の第一加熱装置及びその下流側の主断面図。
【図５】第２実施形態の第一加熱装置の角度変更部の構成を示す図。
【図６】第２実施形態の第一加熱装置がポジションを変える動作のフローチャート。
【図７】第２実施形態の第一加熱装置がポジションを変える動作のタイミングチャート。
【発明を実施するための形態】
【００１７】
以下、図面を参照して、本発明を適用した画像処理装置の定着装置における、実施形態について具体的に説明する。
【００１８】
〔第１実施形態〕
（画像形成装置の概略）
図により本実施形態に係る画像定着装置を備えた画像形成装置の第１実施形態を説明する。画像定着装置は画像形成部で形成された未定着画像を記録材Ｓ上に定着させる。図１は画像形成装置の全体構成を示す断面説明図である。図２は画像形成装置に装備される定着手段の第１実施形態の構成を示す断面説明図であり、加熱装置９ａ、９ｂの具体例として熱ローラ方式の定着装置の基本構成を示す。図３は画像定着装置の上面図であり、図１におけるＡ矢視図である。
【００１９】
図１において、画像形成装置内には４つの画像形成部（第一画像形成部Ｐａ、第二画像形成部Ｐｂ、第三画像形成部Ｐｃ、第四画像形成部Ｐｄ）が併設される。画像形成部Ｐａ〜Ｐｄには、各々異なった色のトナー画像が潜像、現像、転写の各プロセスを経て形成される。以下の説明では、ａ、ｂ、ｃ、ｄの添字をａ〜ｄ等と適宜省略して説明する。
【００２０】
画像形成部Ｐａ〜Ｐｄは、それぞれ専用のトナー画像が形成される像担持体として、電子写真感光体ドラム３ａ〜３ｄを具備する。各感光体ドラム３ａ〜３ｄ上には、各色のトナー画像が形成される。
【００２１】
また、感光体ドラム３ａ〜３ｄの全てに隣接するように、中間転写体１３０が設置される。中間転写体１３０は、感光体ドラム３ａ〜３ｄの表面に形成されたトナー画像を、最終的に紙や合成樹脂等で構成されるシートである記録材Ｓに転写する。具体的には、各感光体ドラム３ａ〜３ｄ上に形成された各色のトナー画像は、まず、中間転写体１３０上に一次転写される。次に、中間転写体１３０に隣接して記録材Ｓが通過する二次転写部において配置された二次転写ローラ１１（転写搬送回転体又は転写搬送回転体対）によって、前述のトナー画像が記録材Ｓ上に二次転写される。
【００２２】
本実施形態の画像定着装置９０には、複数の加熱手段として、第一加熱装置９ａ（第一加熱手段）と第二加熱装置９ｂ（第二加熱手段）が設けられる。第一加熱装置９ａと第二加熱装置９ｂは、記録材Ｓ上に転写されたトナー画像を搬送しながら記録材を加熱する。また、画像定着装置９０は第一加熱装置９ａと第二加熱装置９ｂとの間にシート搬送手段である搬送ローラ対３１、３２、３３を有する。
【００２３】
加熱装置９（９ａ、９ｂ）はいずれも図２に示すように、加熱ローラ５１（５１ａ、５１ｂ）と加圧ローラ５２（５２ａ、５２ｂ）とで形成される加熱回転体対を有する。加熱ローラ５１ａ、５１ｂは、内部にハロゲンランプヒータ５６を装備している。また、加圧ローラ５２は、加熱ローラ５１に対向して配置される。
【００２４】
中間転写体１３０によりトナー画像が転写された記録材Ｓは、加熱装置９内において、加熱ローラ５１と加圧ローラ５２とで挟持された状態で搬送されながら、加熱及び加圧によりトナー画像が定着される。
【００２５】
記録材Ｓは、その後、記録画像として画像形成装置外に排出される。裏面側に画像を形成する際には、記録材Ｓを記録材反転路６によって反転させた後、両面搬送路５を介して再度、二次転写部に搬送して裏面側に画像を形成する。
【００２６】
（画像形成装置の詳細）
図１に示すように、各感光体ドラム３ａ〜３ｄの外周には、それぞれ帯電手段となるドラム帯電器２ａ〜２ｄ、現像手段となる現像器１ａ〜１ｄ、一次転写手段となる一次転写帯電器２４ａ〜２４ｄ及びクリーニング手段となるクリーナ４ａ〜４ｄが設けられる。また、画像形成装置の上方部にはさらに図示しない光源装置及びポリゴンミラー等が設置される。
【００２７】
各光源装置から発せられたレーザー光をポリゴンミラーを回転して走査し、その走査光の光束を反射ミラーによって偏向し、ｆθレンズによって光路長が一定になるように補正し、各感光体ドラム３ａ〜３ｄの母線上に集光して露光する。これにより、各感光体ドラム３ａ〜３ｄ上に画像信号に応じた静電潜像が形成される。
【００２８】
各現像器１ａ〜１ｄには、現像剤としてそれぞれシアン、マゼンタ、イエロー及びブラックのトナーが、図示しない供給装置により所定量充填されている。現像器１ａ〜１ｄは、それぞれ感光体ドラム３ａ〜３ｄ上の静電潜像を現像して、シアントナー画像、マゼンタトナー画像、イエロートナー画像及びブラックトナー画像として可視像化する。
【００２９】
中間転写体１３０は、矢印ａ方向に各感光体ドラム３ａ〜３ｄと同じ周速度をもって回転駆動される。感光体ドラム３ａ上に形成担持された第１色のシアントナー画像は、次の過程で、中間転写体１３０の外周面に中間転写が行われる。即ち、感光体ドラム３ａと中間転写体１３０とのニップ部を通過する過程で、一次転写帯電器２４ａの作用により中間転写体１３０に印加される一次転写バイアス電圧により形成される電界と圧力により行われる。
【００３０】
同様に感光体ドラム３ｂ〜３ｄ上に形成担持された第２色〜第４色のマゼンタトナー画像、イエロートナー画像及びブラックトナー画像は、中間転写体１３０の外周面に順次重畳転写される。この結果、対象となる画像データに対応した合成カラートナー画像が形成される。
【００３１】
二次転写ローラ１１は、張架ローラ１３、１４、１５により張架された中間転写体１３０に対向して平行に軸支され、中間転写体１３０の下面部に接触させて配設される。二次転写ローラ１１には、二次転写バイアス電源によって所望の二次転写バイアス電圧が印加される。
【００３２】
一方、記録材Ｓは、給送カセット１０ａ、１０ｂから各搬送ローラ対に搬送され、レジストローラ対１２、図示しない転写前ガイドを通過して中間転写体１３０と二次転写ローラ１１との当接ニップ部に所定のタイミングで給送される。ここで同時に、二次転写バイアス電圧が二次転写バイアス電源から二次転写ローラ１１に印加される。この二次転写バイアス電圧の印加により中間転写体１３０から記録材Ｓへ合成カラートナー画像が転写される。
【００３３】
一次転写が終了した感光体ドラム３ａ〜３ｄは、それぞれのクリーナ４ａ〜４ｄにより転写残トナーがクリーニングされて除去され、引き続き次の静電潜像の形成プロセスに供される。中間転写体１３０上に残留したトナー及びその他の異物は、中間転写体１３０の表面にクリーニングウエブ１９（不織布）を当接して、拭い取るようにしている。
【００３４】
トナー画像の転写を受けた記録材Ｓは、複数の加熱手段となる加熱装置９ａ、９ｂへ順次導入される。加熱装置９ａ、９ｂは、記録材Ｓに熱と圧力を加えることで、記録材Ｓにトナー画像を定着する。
【００３５】
次に、図２を用いて本実施形態の加熱部の構成についてさらに詳細に説明する。図２に示すように、２つの加熱装置９ａ、９ｂは全く同じものを同じ条件で使用している。
【００３６】
加熱ローラ５１は、加熱体であるハロゲンランプヒータ５６を内包する円筒状芯金７１の表面に離型性層７０を有する。加圧ローラ５２は、棒状芯金７３の周囲に耐熱性ゴム層７２を設け、さらにその表面に離型性層７０が形成される。
【００３７】
尚、カラー用の加熱装置では加熱ローラ５１の表面の離型性層７０の代わりにシリコーンオイルを含浸させたシリコーンゴム層を用いたものもある。また、加熱ローラ５１には図示しないサーミスタが接触または非接触で配設されており、温度調節回路を介してハロゲンランプヒータ５６への電圧を制御することにより加熱ローラ５１の表面の温度調節を行う。
【００３８】
加熱ローラ５１は、外形φ（外形直径）が７８．０ｍｍのＦｅ（鉄）からなる円筒状芯金７１上に、シリコーンゴムを１．０ｍｍ成形した。さらにその表面に３０μｍの厚みのＰＦＡ（テトラフルオロエチレン・パーフルオロアルキルエーテル共重合体）チューブを被覆した外径φ（外形直径）が８０ｍｍの加熱ローラ５１を用いた。また加熱ローラ５１内部にハロゲンランプヒータ５６を用い、それぞれの表面温度を１７０℃に温度調節を行った。
【００３９】
加圧ローラ５２は、外径φ（外形直径）が２０ｍｍのＦｅ（鉄）からなる棒状芯金７３の周囲にシリコーンゴムからなるスポンジ層である耐熱性ゴム層７２を設けた。さらにその表面に３０μｍ厚みのＰＦＡチューブを被覆し、外径φ（外形直径）が８０ｍｍとした。更に、加熱ローラ５１に総圧６８６．５Ｎ（７０ｋｇｆ）で加圧され、従動回転されるようにした。
【００４０】
図１及び図３に示すように、本実施形態においては、記録材Ｓの搬送経路上流側（図１の右側）に配置される第一加熱装置９ａと、記録材Ｓの搬送経路下流側（図１の左側）に配置される第二加熱装置９ｂとの間隔が記録材Ｓの最大通過長さ以上離れている。
【００４１】
そして、第一加熱装置９ａと第二加熱装置９ｂとの間には、記録材Ｓを搬送するためのシート搬送手段となる搬送ローラ対３１、３２、３３が設けられる。また第二加熱装置の下流には搬送ローラ対３４が設けられる。搬送ローラ対３４より下流のローラは第二加熱装置と同時に記録材を搬送しない距離に配置している。
【００４２】
次に、図３を用いて本実施形態の２つの加熱装置９ａ、９ｂの構成について説明する。まず、記録材Ｓは、二次転写部（転写部）にて、二次転写ローラ１１によって記録材Ｓ上に未定着画像が転写された状態で搬送される。ここで、未定着のトナー画像を最初に記録材Ｓに定着する第一加熱装置９ａのローラ対（５１ａ、５２ａ：第一加熱回転体対）の回転軸線は、転写部での記録材搬送方向と直交する方向Ｘに対して角度α傾いた状態で配置される。このため、記録材Ｓは第一加熱装置９ａに斜めに突入し、定着ニップ部Ｎにおいて転写部での記録材搬送方向とは角度α分、斜めに搬送される。ここで定着装置の記録材搬送速度Ｖｆは転写部でのそれＶｔに対して、
Ｖｆ×ｃｏｓα≒Ｖｔ
となる速度に設定されている。
【００４３】
このような構成では、定着ニップ部Ｎでの記録材搬送によって、転写部での記録材搬送方向に対して直角方向に記録材Ｓが移動する。ここでもし、記録材Ｓが張った状態で転写部と第一加熱装置９ａで同時に搬送するような記録材Ｓの長さである場合、記録材が屈曲する現象が発生してしまう。このため本実施形態においては、前述のような屈曲する現象が転写及び定着入口部での画像不良要因にならないよう、転写部と第一加熱装置９ａの間で記録材Ｓが撓むように、十分なループ空間を確保している。
【００４４】
搬送ローラ対３１、３２、３３、３４の回転軸線は、転写部搬送方向と直交する方向になるように配置される。搬送ローラ３１、３２、３３、３４は加熱装置９ａ、９ｂに比べて記録材の保持力を十分に弱く設定している。よって搬送ローラ３１、３２、３３は第一加熱装置９ａによる転写部の搬送方向と直交する方向への移動を妨げることはない。
【００４５】
これにより、記録材Ｓの端部は定着ニップ部Ｎを斜めに移動することとなる。このため、記録材端部が加熱ローラ及び加圧ローラ表面と摺擦することに起因する傷の発生を防止できる。
【００４６】
第二加熱装置９ｂのローラ対（５１ｂ、５２ｂ：第二加熱回転体対）の回転軸線は、転写部での記録材搬送方向に対して第一加熱装置９ａの角度と反対の方向に角度β傾斜して配置される。これにより、第二加熱装置９ｂでの記録材Ｓは、第一加熱装置９ａで転写部での記録材搬送方向と直交する方向に移動した距離と略等しくなる距離だけ、第一加熱装置９ａで移動した方向と逆方向に移動する。
【００４７】
本実施形態では第一加熱装置と第二加熱装置を全く同じ構成の装置を使用しているので、角度βは、α＝β、としている。このように、第一加熱装置のローラ対と第二加熱装置のローラ対の回転軸線は、転写部における転写ローラの回転軸線に対して所定角度傾斜している。
【００４８】
この構成により、搬送ローラ対３３によって搬送された記録材Ｓが第二加熱装置９ｂに斜めに突入すると、転写部での記録材搬送方向と直交する方向に移動した距離と略等しくなる距離だけ、第一加熱装置９ａで移動した方向と逆方向に移動する。
【００４９】
前述の通り、搬送ローラ対３３、３４は第二加熱装置９ｂに比べ記録材保持力が十分に弱く設定される。よって搬送ローラ対３３、３４は第二加熱装置による転写部での記録材搬送方向と直交する方向への移動を妨げることはない。
【００５０】
これにより、第二加熱装置９ｂにおいても、記録材端部は定着ニップ部Ｎを斜めに移動することとなる。このため、記録材端部が加熱ローラ及び加圧ローラ表面と摺擦することに起因する傷の発生を防止することができる。
【００５１】
以上の構成により、記録材端部と加熱ローラ及び加圧ローラ表面の摺擦に起因する傷の発生を防止する。且つ加熱装置９ａ、９ｂから記録材Ｓが排出された後の記録材Ｓの搬送方向及び位置を転写部のそれとほぼ等しくする事が可能となる。
【００５２】
〔第２実施形態〕
図を用いて、第２実施形態について説明する。なお、第１実施形態と重複する画像形成装置の第一加熱装置９ａまでの構成に関しては説明を省略する。また、第一加熱装置９ａ、第二加熱装置９ｂは第１実施形態と同じ構成である。
【００５３】
図４は第２実施形態の第一加熱装置９ａ及びその下流側の主断面図である。図４に示すように、第２実施形態の画像形成装置は、第一加熱装置９ａの下流側に２つの通路が配設される。即ち、記録材種によって追加加熱を行うための第二加熱装置９ｂを設けたタンデムパスＰＴ（主搬送路）と、第二加熱を迂回する迂回搬送路であるバイパスパスＰＢとを有する。タンデムパスＰＴとバイパスパスＰＢとは、分岐点Ｓｐで分岐し、第二加熱装置９ｂの下流の合流点Ｍｐで再び合流する。分岐点Ｓｐにはパスを切換可能な搬送路切換手段としてのフラッパＦが備えられている。これにより、両搬送パスを選択可能になっている。
【００５４】
普通紙など、１つの定着装置で定着性を満足でき、二つ以上の加熱装置を通過させて過剰な熱量を加えるとカールや加熱ローラへの巻き付きといった問題を発生するような記録材Ｓの場合には、バイパスパスＰＢを通過させることで、第二加熱装置９ｂを迂回させる。第一加熱装置９ａと第二加熱装置９ｂを通過させて定着性を向上させたい厚紙などの記録材Ｓの場合には、タンデムパスＰＴを通過させる。
【００５５】
第一加熱装置９ａは転写部での記録材搬送方向に対して角度α斜めの状態と、転写部での記録材搬送方向と直交する方向に加熱ローラ５１及び加圧ローラ５２が向く状態とをポジション選択可能になっている。そして、定着時にタンデムパスＰＴを用いる場合は、角度α斜めの状態を選択し、バイパスパスＰＢを用いる場合は、転写部での記録材搬送方向と略直交する状態を選択する。
【００５６】
図５を用いて第一加熱装置９ａの第一加熱回転体対の傾斜角度を変更する傾斜量変更手段６０の構成を説明する。図５は第一加熱装置９ａの角度変更部の構成を示す図である。図５は第一加熱装置９ａの搬送方向下流側から見たフレーム底部の概略図である。
【００５７】
第一加熱装置９ａの底板６１には、圧入された軸受６２が設けられる。軸受６２は、画像形成装置本体側位置決めピン６３に嵌合することで位置決めされる。これにより、底板６１は位置決めピン６３を軸として回転可能になっている。
【００５８】
また底板６１の端部側にはコロ６４が設けられる。コロ６４は画像形成装置本体のレール６５上に乗っている。更に底板６１には扇ギア６６が設けられる。扇ギア６６は、扇ギア６６と噛み合うギアを有するステッピングモーター６７によって駆動される。これらの構成によって、位置決めピン６３中心に定着装置全体が回転する。尚、扇ギア６６には、センサー６８によって第一加熱装置９ａの位置を検知するため、突起６６ａが設けられる。
【００５９】
図６を用いて第一加熱装置９ａの姿勢制御について説明する。図６は第一加熱装置がポジションを変える動作のフローチャートである。
【００６０】
第一加熱装置９ａの初期ポジションは、加熱ローラ５１及び加圧ローラ５２の軸線方向と転写部での記録材Ｓの搬送方向とが略直交するポジションである。画像形成装置の電源がＯＮされた時や角度α斜めの状態で記録材を搬送した後は、初期ポジションに戻る動作を行う。
【００６１】
続いて、ユーザーが使用する記録材の種類を設定する。ここではバイパスパスを通過させる普通紙とタンデムパスを通過させる厚紙を代表例として説明する。初期は普通紙が選択されており、その他、記録材として厚紙を選択可能になっている。
【００６２】
普通紙のままユーザーがジョブをスタートした場合は、第一加熱装置９ａは初期ポジションから動くことはない。
【００６３】
厚紙を設定した場合、ジョブがスタートする前に、ステッピングモーター６７を所定量駆動させ、第一加熱装置９ａを角度α傾けた位置で停止させる。
【００６４】
厚紙のジョブが終了すると、前記初期ポジションに戻る動作を行い、転写部での記録材搬送方向と定着装置のローラ対の回転軸線とが略直交するポジションにて停止する。
【００６５】
続いて、前記した初期ポジションに戻る動作及び角度αに移動する動作を図７を用いて説明する。図７は第一定着装置がポジションを変える動作のタイミングチャートである。
【００６６】
最初に、厚紙動作終了後に第一加熱装置９ａが初期ポジションへ戻る動作に関して説明する。
【００６７】
厚紙のジョブが終了すると、ジョブ終了を判断して記録材の設定を普通紙に戻す。普通紙に戻ったことを判断した後、モーター６７を正転３００ＰＰＳで駆動させる。センサー６８の信号がＯＮからＯＦＦに切り替わったことを判断し、切り替わりから所定時間ｔだけモーター６７を駆動させ続け、所定時間ｔ後、モーター６７を停止する。
【００６８】
次に、画像形成装置電源ＯＮ後の初期ポジション動作を説明する。ここでは電源ＯＮ時にセンサ信号がＯＦＦだった時について説明する。
【００６９】
センサー６８信号がＯＮになるまで、モーター６７を逆転３００ＰＰＳにて駆動させる。センサー６８信号がＯＮになってから所定時間Ｔ駆動させ続け、その後正転３００ＰＰＳに駆動を切り替える。センサー６８信号がＯＦＦになってから所定時間ｔまで駆動させ続け、停止する。
【００７０】
次に角度αポジションへの移動動作について説明する。ユーザーが厚紙の設定を選択した後、モーター６７を逆転３００ＰＰＳにて駆動させセンサー６８信号がＯＮになって所定時間ｔまで駆動させ停止する。ジョブ終了後は前記初期ポジションに戻る動作と同様である。
【００７１】
第二加熱装置９ｂは、第一加熱装置９ａの角度α斜めの状態に対して、反対方向に角度β斜めの状態で配置している。
【００７２】
第一加熱装置９ａ、第二加熱装置９ｂでの、転写部での記録材搬送方向と略直交する方向への移動を妨げないように、搬送ローラ３５、３６は記録材保持力が十分に弱く設定されている。
【００７３】
以上の構成によって、厚紙の端部は第一加熱装置９ａ、第二加熱装置９ｂにおいて、定着ニップ部Ｎを斜めに移動することとなる。このため、加熱ローラ５１及び加圧ローラ５２表面と摺擦することに起因する傷の発生を防止できる。また、タンデムパスＰＴとバイパスパスＰＢどちらのパスを通過した記録材Ｓも記録材搬送方向と直交する方向の位置が略同じ位置に排出可能となる。
【００７４】
本実施形態では第一加熱装置９ａ、第二加熱装置９ｂを全く同じものを採用した。しかしながらこれに限るものではなく、第一加熱装置９ａと第二加熱装置９ｂが全く別の構成であっても同様の効果を得ることができる。
【００７５】
また、本実施形態は熱ローラ方式を採用しているが、これに限るものではない。例えばどちらかの定着装置がベルト定着方式であっても同様の効果を得ることができる。
【００７６】
また、本実施形態では第一加熱装置９ａの角度αと第二加熱装置９ｂの角度βを、α＝βと設定しているが、α＝βである必要はない。例えば、第一加熱装置９ａと第二加熱装置９ｂの搬送方向ニップ幅が異なる場合、ニップ幅の小さい定着装置の角度を大きくし、ニップ幅の大きい定着装置の角度を小さくして使用することで同様の効果が得られる。
【００７７】
更に、第一加熱装置９ａの加熱ローラ５１と第二加熱装置９ｂの加熱ローラ５１で記録材Ｓとのμが異なる場合も、μが大きい定着装置の角度を小さくし、μが小さい定着装置の角度を大きくして使用することで、同様の効果を得ることができる。
【符号の説明】
【００７８】
Ｎ…定着ニップ部
Ｐ…画像形成部
Ｓ…記録材
３…感光体ドラム
９ａ…第一加熱装置
９ｂ…第二加熱装置
５１…加熱ローラ
５２…加圧ローラ
【図１】
2011022200.tif 000003
【図２】
2011022200.tif 000004
【図３】
2011022200.tif 000005
【図４】
2011022200.tif 000006
【図５】
2011022200.tif 000007
【図６】
2011022200.tif 000008
【図７】
2011022200.tif 000009